【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
入力端子及び出力端子を有する双方向電子スイッチ回路であって、
ａ．各スイッチデバイスがドレイン端子、ソース端子及びゲート端子を備え、前記ゲート端子及び前記ソース端子間に規定される閾値電圧により特徴付けられる第１及び第２の直列接続電子スイッチデバイスであって、前記第１のスイッチデバイスの前記ドレイン端子は、前記スイッチ回路の前記入力端子を備え、前記第２のスイッチデバイスのドレイン端子は、前記スイッチ回路の前記出力端子を備え、前記第１及び第２のスイッチデバイスの前記ソース端子は、第１の制御端子において相互接続され、前記第１及び第２のスイッチデバイスの前記ゲート端子は、第２の制御端子において相互接続される、第１及び第２の直列接続電子スイッチデバイスと、
ｂ．前記スイッチデバイスの前記閾値電圧より大きい電圧を有し、電流制御抵抗器を介して前記第１及び第２のスイッチデバイス制御端子間に印加される電圧源であって、
ａ．前記スイッチ回路の前記入力端子から前記第２のスイッチデバイス制御端子に接続される第１の整流装置と、
ｂ．前記スイッチ回路の前記出力端子から前記第２のスイッチデバイス制御端子に接続される第２の整流装置と、
ｃ．前記第１のスイッチデバイス制御端子から前記第２のスイッチデバイス制御端子に接続される電圧調整装置と、を有する電圧源と、
ｃ．前記第１及び第２のデバイス制御端子間に接続されるスイッチと、
をさらに備える双方向電子スイッチ回路。
【請求項２】
前記スイッチは、
ａ．入射する照明の前記強度に比例するコンダクタンスにより特徴付けられ、前記第１のスイッチデバイス制御端子から前記第２のスイッチデバイス制御端子に接続される光活性化電子デバイスと、
ｂ．第１及び第２の双方向電子スイッチ制御端子に接続され、前記光活性化電子デバイスを照明するように構成された発光素子であって、前記発光素子により放出される前記光の前記強度は、前記第１及び第２の双方向電子スイッチ制御端子に印加される外部制御信号の振幅に比例する発光素子と、を備える請求項１の双方向電子スイッチ回路。
【請求項３】
前記光活性化デバイスは、コレクタ端子及びエミッタ端子を有する半導体フォトトランジスタを備え、
前記エミッタ端子は、前記スイッチデバイスの前記共通ソース端子に接続され、前記コレクタ端子は、前記スイッチデバイスの前記共通ゲート端子に接続される請求項２の双方向スイッチ回路。
【請求項４】
前記発光素子は、アノード端子及びカソード端子を有する半導体発光ダイオードを備え、
前記アノード端子は、前記双方向スイッチ回路の前記第１の双方向電子スイッチ制御端子に接続され、前記カソード端子は、前記双方向スイッチ回路の前記第２の双方向電子スイッチ制御端子に接続される請求項２の双方向スイッチ回路。
【請求項５】
交流電力を負荷装置に接続するための、請求項２の双方向電子スイッチ回路の使用方法であって、
ａ．交流電源から電力を受け取るための第１及び第２の電力入力端子と、
ｂ．前記負荷装置に交流電力を供給するための第１及び第２の電力出力端子と、
ｃ．前記双方向電子スイッチ回路の前記入力端子を前記第１の電力入力端子に接続し、前記双方向電子スイッチ回路の前記出力端子を前記第１の電力出力端子に接続することと、
ｄ．前記第２の電力入力端子を前記第２の電力出力端子に接続することと、
ｅ．前記双方向電子スイッチ回路の前記第１及び第２の制御端子に電子制御信号を供給することと、
を含む方法。
【請求項６】
前記双方向電子スイッチ回路の前記第１及び第２の制御端子に印加される前記制御信号は、前記交流電力源と同期してパルスにされ、前記負荷に結合された前記交流電力の位相制御を提供する請求項５の方法。
【請求項７】
交流電力を負荷装置に接続するための、請求項２の双方向電子スイッチ回路の使用方法であって、
ａ．交流電源から電力を受け取るための第１及び第２の電力入力端子と、
ｂ．前記負荷装置に交流電力を供給するための第１及び第２の電力出力端子と、
ｃ．第１及び第２の双方向電子スイッチ回路と、
ｄ．前記第１の双方向電子スイッチ回路の前記入力端子を前記第１の電力入力端子に接続し、前記第１の双方向電子スイッチ回路の前記出力端子を前記第１の電力出力端子に接続することと、
ｅ．前記第２の双方向電子スイッチ回路の前記入力端子を前記第２の電力入力端子に接続し、前記第２の双方向電子スイッチ回路の前記出力端子を前記第２の電力出力端子に接続することと、
ｆ．前記第１及び第２の双方向電子スイッチ回路の前記第１及び第２の制御端子に電子制御信号を供給することと、
を含む方法。
【請求項８】
前記双方向電子スイッチ回路の前記第１及び第２の制御端子に印加される前記制御信号は、前記交流電力源と同期してパルスにされ、前記負荷に結合された前記交流電力の位相制御を提供する請求項７の方法。
【請求項９】
交流電力を負荷装置に接続するための請求項２の双方向電子スイッチ回路の使用方法であって、
ａ．交流電源から電力を受け取るための第１及び第２の電力入力端子と、
ｂ．前記負荷装置に交流電力を供給するための第１及び第２の電力出力端子と、
ｃ．直列構成に配列された複数の双方向電子スイッチ回路を備える回路アレイであって、前記第１の双方向電子スイッチ回路の前記入力端子は、前記回路アレイの前記入力端子であり、
最後の前記双方向電子スイッチ回路の前記出力端子が前記回路アレイの前記出力端子であること、全ての前記双方向電子スイッチ回路の前記第１の制御端子が相互接続され、前記回路アレイの前記第１の制御端子を形成すること、及び、全ての前記双方向電子スイッチ回路の前記第２の制御端子が相互接続され、前記回路アレイの前記第２の制御端子を形成することを除いては、各後続の双方向電子スイッチ回路の前記入力端子が前の前記双方向電子スイッチ回路の前記出力端子に接続される、前記回路アレイと、
ｄ．前記双方向電子スイッチ回路の前記入力端子を前記第１の電力入力端子に接続し、前記双方向電子スイッチ回路の前記出力端子を前記第１の電力出力端子に接続することと、
ｅ．前記第２の電力入力端子を前記第２の電力出力端子に接続することと、
ｆ．前記双方向電子スイッチ回路の前記第１及び第２の制御端子に電子制御信号を供給することと、
を含む方法。
【請求項１０】
前記双方向電子スイッチ回路の前記第１及び第２の制御端子に印加される前記制御信号は、前記交流電力源と同期してパルスにされ、前記負荷に結合された前記交流電力の位相制御を提供する請求項９の方法。
【請求項１１】
前記回路アレイの前記双方向電子スイッチ回路の数は、前記交流電力源の前記ピーク電圧に基づいて選択される請求項９の双方向電子スイッチ回路の使用方法。
【請求項１２】
交流電力を負荷装置に接続するための請求項２の双方向電子スイッチ回路の使用方法であって、
ａ．交流電源から電力を受け取るための第１及び第２の電力入力端子と、
ｂ．前記負荷装置に交流電力を供給するための第１及び第２の電力出力端子と、
ｃ．直列構成に配列された複数の双方向電子スイッチ回路をそれぞれ備える第１及び第２の回路アレイであって、前記第１の双方向電子スイッチ回路の前記入力端子は、前記回路アレイの前記入力端子であり、
最後の前記双方向電子スイッチ回路の前記出力端子が前記回路アレイの前記出力端子であること、全ての前記双方向電子スイッチ回路の前記第１の制御端子が相互接続され、前記回路アレイの前記第１の制御端子を形成すること、及び、全ての前記双方向電子スイッチ回路の前記第２の制御端子が相互接続され、前記回路アレイの前記第２の制御端子を形成することを除いては、各後続の双方向電子スイッチ回路の前記入力端子が前の前記双方向電子スイッチ回路の前記出力端子に接続される、前記第１及び第２の回路アレイと、
ｄ．前記第１の双方向電子スイッチ回路の前記入力端子を前記第１の電力入力端子に接続し、前記第１の双方向電子スイッチ回路の前記出力端子を前記第１の電力出力端子に接続することと、
ｅ．前記第２の双方向電子スイッチ回路の前記入力端子を前記第２の電力入力端子に接続し、前記第２の双方向電子スイッチ回路の前記出力端子を前記第２の電力出力端子に接続することと、
ｆ．前記双方向電子スイッチ回路の前記第１及び第２の制御端子に電子制御信号を供給することと、
を含む方法。
【請求項１３】
前記双方向電子スイッチ回路の前記第１及び第２の制御端子に印加される前記制御信号は、前記交流電力源と同期してパルスにされ、前記負荷に結合された前記交流電力の位相制御を提供する請求項１２の方法。
【請求項１４】
前記第１及び第２の回路アレイの前記双方向電子スイッチ回路の数は、前記交流電力源の前記ピーク電圧に基づいて選択される請求項１２の双方向電子スイッチ回路の使用方法。
【請求項１５】
前記制御信号は、前記交流電源の波形と同期し、調整可能なパルス幅を有する一連のパルスであり、前記負荷に供給される平均電流／電力を効果的に制御し、これにより光源負荷の調光効果及び交流モータ負荷の速度制御を提供する請求項１２の双方向電子スイッチ回路の使用方法。
【請求項１６】
前記制御信号は、前記交流電源の波形とは独立した固定周波数又は可変周波数を有し、これにより無線充電器／発電機として使用するために前記負荷端子に無線周波数（ＲＦ）電力波形を生成する一連のパルスである請求項１２の双方向電子スイッチ回路の使用方法。
【請求項１７】
前記第１及び第２の双方向電子スイッチ制御端子に印加される前記外部制御信号は、前記発光素子の可変照明を可能にする可変直流電圧であり、これにより前記電子スイッチデバイスの線形モードでの動作を可能とする請求項１２の双方向電子スイッチ回路の使用方法。
【請求項１８】
前記第１及び第２の電子スイッチデバイスがＭＯＳＦＥＴｓである請求項１の双方向電子スイッチ回路。
【請求項１９】
前記整流装置は、
それぞれアノード端子及びカソード端子を有する第１及び第２の半導体ダイオードを備え、
前記第１の半導体ダイオードの前記アノード端子は、電流制御抵抗器を介して前記双方向スイッチ回路の前記入力端子に接続され、前記第２の半導体ダイオードの前記アノード端子は、電流制御抵抗器を介して前記双方向スイッチ回路の前記出力端子に接続され、前記第１及び第２の半導体ダイオードの前記カソード端子は、前記第２のスイッチデバイス制御端子に接続される請求項１の双方向電子スイッチ回路。
【請求項２０】
前記電圧調整装置は、アノード端子及びカソード端子を有する半導体ツェナーダイオードを備え、前記アノード端子は、前記第１の制御端子に接続され、前記カソード端子は、前記第２の制御端子に接続される請求項１の双方向スイッチ回路。